(57)【要約】【課題】構成部品が少なく、構造が簡単で、組立が容易であるとともに、デザイン性にも優れた竪樋と排水管との接続構造を提供する。【解決手段】竪樋２と地中に埋設された排水管４とからなる雨水の排水構造において、該竪樋２の下端部に上記排水管４に嵌挿可能な継手１を延設するとともに、該継手１が可撓性部材から形成されたことを特徴とする。好ましくは、上記継手１が弾性を有する合成樹脂材料を成形して得られた湾曲自在な円筒、または湾曲自在な蛇腹構造から構成される。【選択図】図４
2004346596.tif 000002
【特許請求の範囲】
【請求項１】
竪樋と地中に埋設された排水管とからなる雨水の排水構造において、該竪樋の下端部に上記排水管に嵌挿可能な継手を延設するとともに、該継手が可撓性部材から形成されたことを特徴とする竪樋と排水管との接続構造。
【請求項２】
上記継手が弾性を有する合成樹脂材料を成形して得られた湾曲自在な円筒からなる請求項１に記載の竪樋と排水管との接続構造。
【請求項３】
上記継手が湾曲自在な蛇腹構造からなる請求項１に記載の竪樋と排水管との接続構造。
【請求項４】
上記継手がその下部に錘を備えた請求項１に記載の竪樋と排水管との接続構造。
【請求項５】
上記継手の排水管への嵌挿部分を覆うように椀形カバー部材が覆設された請求項１に記載の竪樋と排水管との接続構造。
【発明の詳細な説明】
【０００１】
【発明の属する技術分野】
本発明は、竪樋の排水構造に関する。さらに詳しくは、軒先に取り付けた軒樋から雨水を排水するための竪樋と、地中に埋設した排水管との接続構造に関する。
【０００２】
【従来の技術】
従来、上記竪樋と排水管との接続構造について、とくに、地震の際に竪樋等が破損するのを防止することを目的とした種々の技術が知られている（例えば、特許文献１、２、３参照。）。
【０００３】
【特許文献１】
特開２００２−１６７９２３号公報（第１−５頁、第１〜３図、第１６図、第１９図）
【特許文献２】
特開平９−３０２８７２号公報（第１−３頁、第１、２図）
【特許文献３】
特開２００３−２７６８２号公報（第１−５頁、第１、２図）
【０００４】
【発明が解決しようとする課題】
上記公知技術の一例としては、本願図６に示すように、竪樋２の下部に湾曲変形自在な蛇腹構造７を設け、地中に埋設された排水管４と竪樋２とを鍔状固定部８で固定した構造Ｂが記載されている。しかしながら、地震の際に、竪樋と排水管との接続部分に生じるせん断応力や歪み応力を吸収し、竪樋等の破損を防止するには、上記記載の技術は、必ずしも十分といえず、構造が簡単で、かつ、容易に竪樋と排水管とを接続できる竪樋と排水管との接続構造が求められている。本発明は、このような問題を解決するためになされたものであって、構成部品が少なく、構造が簡単で、組立が容易であるとともに、デザイン性にも優れた竪樋と排水管との接続構造を提供することをその課題とする。
【０００５】
【課題を解決するための手段】
本発明は、上記課題を解決するために、つぎのような技術的手段を講じている。すなわち、本発明によれば、竪樋と地中に埋設された排水管とからなる雨水の排水構造において、該竪樋の下端部に上記排水管に嵌挿可能な継手を延設するとともに、該継手が可撓性部材から形成されたことを特徴とする竪樋と排水管との接続構造が提供される。このように、可撓性のある継手を排水管に嵌挿する簡単な構成により、嵌挿部分の長さを調節して容易に組み立てることができるとともに、地震の揺れによって竪樋と排水管との接続部分に生じるせん断応力や歪み応力を吸収し、容易に竪樋の破損を防ぐことができる。
【０００６】
上記継手が弾性を有する合成樹脂材料を成形して得られた湾曲自在な円筒からなることが好ましい。例えば、合成ゴム、軟質塩化ビニル等の弾性合成樹脂材料を円筒形に成型することにより、継手がフレキシブルに変形し、地震により竪樋と排水管との接続部分に生じるせん断応力や歪み応力を吸収し、竪樋が破壊されることを防ぐ。
【０００７】
上記継手が湾曲自在な蛇腹構造から構成されることが好ましい。例えば、合成ゴム、軟質塩化ビニル等の弾性合成樹脂材料を金属コイルを内設したコルゲート管構造とすることにより、継手がフレキシブルに変形し、地震により竪樋と排水管との接続部分に生じるせん断応力や歪み応力を吸収し、竪樋が破壊されることを防ぐ。
【０００８】
上記継手がその下部に錘を備えることが好ましい。例えば、リング状の金属製錘を継手の下部内側もしくは外側に周設することによって継手が重くなり、継手が簡単に排水管から跳び出したり、抜けたりすることを防げる。
【０００９】
上記継手の排水管への嵌挿部分を覆うようにカバー部材を覆設することが好ましい。このようにすることにより、上記嵌挿部分を目隠しすることができ、外観上よいものとすることができるとともに、落ち葉、ゴミ等の夾雑物が上記嵌挿部分に進入することを防げる。
【００１０】
【発明の実施の形態】
以下、本発明の好ましい実施の形態について、図面を参照して詳細に説明する。図１は、合成ゴム、軟質塩化ビニル等の弾性合成樹脂材料を円筒形に成型してなる可撓性部材を継手１として用いた、本発明にかかる竪樋と排水管との接続構造Ａを示す側断面図である。図１からよくわかるように、上記継手１の上端部には、竪樋２の下端部が挿入固定されており、この継手１は地中に埋設された排水管４に、その円形開口部３から嵌挿されている。
【００１１】
上記のとおり、本発明の竪樋と排水管との接続構造Ａにおいては、継手１を排水管４に、その円形開口部３から嵌挿するだけで容易に組み立てることが可能であり、例えば、竪樋２の長さが足らず、排水管４と距離がある場合は、図２の側断面図に示すように、継手１の長さを調整し、継手１の嵌挿部分を１００ｍｍ程度とすることにより、容易に竪樋２と排水管４とを接続することができる。
【００１２】
図３は、図１に示す竪樋と排水管との接続構造Ａが地震による揺れを吸収する様子を示す側断面図である。図３からよくわかるように、上記可撓性部材からなる継手１がフレキシブルに変形することによって、竪樋２と排水管４との接続部分に生じるせん断応力や歪み応力を吸収し、竪樋２が破損することを防ぐ。
【００１３】
図４は、本発明の他の実施形態を示す側断面図であり、図１に示す竪樋と排水管との接続構造Ａの継手１の下端部内側にリング状金属製の錘５を周設するとともに、継手１の排水管４への嵌挿部分を覆うように椀形カバー部材６が覆設されている。椀形カバー部材６の材質としてはとくに限定されないが、竪樋２と同質、同系統色とすることが、外観上好ましい。図５は上記図４の一部破断斜視図である。
【００１４】
上記は、継手１として、合成ゴム、軟質塩化ビニル等、弾性合成樹脂材料を円筒形に成型してなる可撓性部材を用いた場合について記述したが、蛇腹構造、例えば、上記合成樹脂材料を金属コイルを内設したコルゲート管構造とした場合についても同様に実施することができる。また、地震以外の他の原因、例えば竪樋に物が衝突して外力が加わった場合等についても、既述と同様な作用効果により、竪樋の破損を防ぐことができる。
【００１５】
【発明の効果】
以上述べたように、請求項１に記載の発明は、上記のとおりであり、とくに、竪樋２の下端部に排水管４に嵌挿可能な可撓性部材から構成された継手１を延設することを特徴とする竪樋２と排水管４との接続構造を提供するものである。このように、可撓性のある継手１を排水管４に嵌挿する簡単な構造であるため、嵌挿部分の長さを調節して容易に組み立てることができるとともに、地震の揺れによって竪樋２と排水管４との接続部分に生じるせん断応力や歪み応力を吸収し、容易に竪樋２の破損を防ぐことができる。
【００１６】
請求項２に記載の発明は、上記継手１が弾性を有する合成樹脂材料を成形して得られた湾曲自在な円筒からなることが好ましい。例えば、合成ゴム、軟質塩化ビニル等の弾性合成樹脂材料を円筒形に成型することにより、継手１がフレキシブルに変形するため、請求項１に記載の発明の効果に加えて、地震により竪樋２と排水管４との接続部分に生じるせん断応力や歪み応力を吸収し、竪樋２が破壊されることを防ぐ。
【００１７】
請求項３に記載の発明は、上記継手１が湾曲自在な蛇腹構造から構成される。例えば、上記弾性合成樹脂材料を金属コイルを内設したコルゲート管構造とすることにより、継手１がフレキシブルに変形するため、請求項１に記載の発明の効果に加えて、地震により竪樋２と排水管４との接続部分に生じるせん断応力や歪み応力を吸収し、竪樋２が破壊されることを防ぐ。
【００１８】
請求項４に記載の発明は、継手１がその下部に錘５を備える。例えば、リング状の金属製錘５を継手１の下部の内側もしくは外側に周設することによって継手１が重くなり、請求項１に記載の発明の効果に加えて、継手１が簡単に排水管４から跳び出したり、抜けることを防ぐ。
【００１９】
請求項５に記載の発明は、上記継手１の排水管４への嵌挿部分を覆うようにカバー部材６が覆設される。このようにすることにより、請求項１に記載の発明の効果に加えて、上記嵌挿部分を目隠しして、外観上よいものとすることができるとともに、落ち葉、ゴミ等の夾雑物が上記嵌挿部分に進入することを防げる。
【図面の簡単な説明】
【図１】本発明にかかる竪樋と排水管との接続構造を示す側断面図である。
【図２】継手の長さを調整し竪樋と排水管とを接続する様子を示す側断面図である。
【図３】地震による揺れを吸収する様子を示す側断面図である。
【図４】本発明の他の好ましい実施形態を示す側断面図である。
【図５】図４の他の好ましい実施形態を示す一部破断斜視図である。
【図６】公知の竪樋と排水管との接続構造を示す説明図である。
【符号の説明】
Ａ        本発明にかかる竪樋と排水管との接続構造
１        継手
２        竪樋
３        円形開口部
４        排水管
５        錘
６        カバー部材
Ｂ        公知の竪樋と排水管との接続構造
７        同上蛇腹構造
８        同上鍔状固定部
【図１】
2004346596.tif 000003
【図２】
2004346596.tif 000004
【図３】
2004346596.tif 000005
【図４】
2004346596.tif 000006
【図５】
2004346596.tif 000007
【図６】
2004346596.tif 000008